(57)【要約】  制御情報の増大を抑えながら干渉による受信性能の劣化を軽減させること。ＮＡＩＣＳを適用するか否かを判断する上位層と、下りリンク制御情報を受信する受信部とを備え、前記上位層でＮＡＩＣＳを適用する旨が指示された場合に、端末固有サーチスペースで前記下りリンク制御情報を検出した場合には、ＮＡＩＣＳによる信号検出を行ない、共通サーチスペースで前記下りリンク制御情報を受信した場合には、線形方式による信号検出を行なう。
2015141438.tif 000002
【特許請求の範囲】
【請求項１】
ＮＡＩＣＳを適用するか否かを判断する上位層と、
下りリンク制御情報を受信する受信部とを備え、
前記上位層でＮＡＩＣＳを適用する旨が指示された場合に、
端末固有サーチスペースで前記下りリンク制御情報を検出した場合には、ＮＡＩＣＳによる信号検出を行ない、
共通サーチスペースで前記下りリンク制御情報を受信した場合には、線形方式による信号検出を行なう端末装置。
【請求項２】
端末装置に実装される集積回路であって、
上位層でＮＡＩＣＳを適用するか否かを示すＮＡＩＣＳ情報を判定する手段と、
前記上位層でＮＡＩＣＳを適用する旨が指示されている場合に、
端末固有サーチスペースで前記下りリンク制御情報を受信した場合には、ＮＡＩＣＳによる信号検出を行ない、
共通サーチスペースで前記下りリンク制御情報を受信した場合には、線形方式による信号検出を行なう集積回路。
【発明の詳細な説明】
【技術分野】
【０００１】
本発明は、端末装置および集積回路に関する。
【背景技術】
【０００２】
近年、スマートフォンやタブレット端末の普及に伴い、モバイル伝送におけるトラフィックは、指数的に増大を続けており、今後もさらに増大することが予想されている。このような無線トラフィックの増大の対策の１つとして、ヘテロジーニアスネットワーク（Heterogeneous Network）による基地局の高密度配置の検討が行なわれている。基地局の高密度配置は、マクロセル内に小電力基地局（Low Power Node: LPN）等を配置し、端末装置が小電力基地局に接続することで、マクロ基地局の負荷を軽減するものである。この時、セル間干渉（Inter-Cell Interference）が問題となる。【０００３】
また、セルスループットを向上させるために、複数の端末装置を空間多重するＭＵ−ＭＩＭＯ（Multi-User Multiple Input Multiple Output）の検討も行なわれている。ＭＵ−ＭＩＭＯでは、端末装置間の干渉（ユーザ間干渉）が問題となる。【０００４】
このようなセル間干渉やユーザ間干渉に対して、３ＧＰＰ（3rd Generation Partnership Project）では、端末装置が干渉信号を抑圧または除去するＮＡＩＣＳ（Network Assisted Interference Cancellation and Suppression）の検討が行なわれている。ＮＡＩＣＳでは、端末装置は、干渉となっている他の端末装置に関するパラメータを受け取り、前記パラメータを用いて干渉となっている他の端末装置宛の信号を検出し、干渉信号を除去する。これにより、端末装置は、自端末装置宛の所望信号を得る。ＮＡＩＣＳについては、非特許文献１に記載されている。
【先行技術文献】
【非特許文献】
【０００５】
【非特許文献１】ＲＰ−１３０４０４、“Ｓｔｕｄｙ  ｏｎ  Ｎｅｔｗｏｒｋ−Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ  ｆｏｒ  ＬＴＥ、”  ３ＧＰＰ  ＴＳＧ  ＲＡＮ  Ｍｅｅｔｉｎｇ  ＃５９、２０１３年  ３月。
【発明の概要】
【発明が解決しようとする課題】
【０００６】
ＮＡＩＣＳにおいて、効率的に干渉信号の除去または抑圧を行なうためには、端末装置は干渉信号の除去または抑圧が必要かどうかを知ることが望ましい。しかしながら、基地局装置から端末装置に対して、干渉信号の除去または抑圧が必要かどうかを示す信号を送信することは、制御情報が増大してしまうため、効率が悪くなり、スループットが劣化してしまう。【０００７】
本発明はこのような事情を鑑みてなされたものであり、その目的は、制御情報の増大を抑えながら干渉による受信性能の劣化を効率的に軽減することが可能な端末装置および集積回路を提供することにある。
【課題を解決するための手段】
【０００８】
上述した課題を解決するために本発明に係る端末装置、基地局装置、および集積回路の構成は、次の通りである。【０００９】
本発明の端末装置は、ＮＡＩＣＳを適用するか否かを判断する上位層と、下りリンク制御情報を受信する受信部とを備え、前記上位層でＮＡＩＣＳを適用する旨が指示された場合に、端末固有サーチスペースで前記下りリンク制御情報を検出した場合には、ＮＡＩＣＳによる信号検出を行ない、共通サーチスペースで前記下りリンク制御情報を受信した場合には、線形方式による信号検出を行なう。【００１０】
本発明の集積回路は、端末装置に実装される集積回路であって、上位層でＮＡＩＣＳを適用するか否かを示すＮＡＩＣＳ情報を判定する手段と、前記上位層でＮＡＩＣＳを適用する旨が指示されている場合に、端末固有サーチスペースで前記下りリンク制御情報を受信した場合には、ＮＡＩＣＳによる信号検出を行ない、共通サーチスペースで前記下りリンク制御情報を受信した場合には、線形方式による信号検出を行なう。
【発明の効果】
【００１１】
本発明によれば、端末装置は、干渉信号を除去／抑圧するための制御情報を増大することなく干渉を除去／抑圧するかしないかを判断することができる。従って、端末装置は、干渉による受信性能の劣化を効率よく軽減することができる。
【図面の簡単な説明】
【００１２】
【図１】本実施形態に係る通信システムの例を示す図である。
【図２】本実施形態に係る基地局装置の構成例を示すブロック図である。
【図３】本実施形態に係る端末装置の構成例を示すブロック図である。
【図４】本実施形態に係る端末装置の処理例を示すフローチャートである。
【発明を実施するための形態】
【００１３】
本実施形態における通信システムは、基地局装置（送信装置、セル、送信点、送信アンテナ群、送信アンテナポート群、コンポーネントキャリア、eNodeB）および端末装置（端末、移動端末、受信点、受信端末、受信装置、受信アンテナ群、受信アンテナポート群、UE）を備える。
【００１４】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００１５】
図１は、本実施形態に係る通信システムの例を示す図である。図１に示すように、本実施形態における通信システムは、基地局装置１Ａ、１Ｂ、端末装置２Ａ、２Ｂ、２Ｃを備える。また、カバレッジ１−１は、基地局装置１Ａが端末装置と接続可能な範囲（通信エリア）である。またカバレッジ１−２は、基地局装置１Ｂが端末装置と接続可能な範囲（通信エリア）である。以下では、端末装置２Ａ、２Ｂを端末装置２とも記載する。
【００１６】
図１において、基地局装置１Ａが端末装置２Ａと端末装置２Ｂとを空間多重する場合や、端末装置２が基地局装置１Ｂからセル間干渉を受ける場合、端末装置２における受信信号は、自端末装置（第１の端末装置とも称する）宛の所望信号と、干渉となる端末装置（第２の端末装置とも称する）宛の信号とが含まれる。具体的には、端末装置２Ａにおける受信信号は、基地局装置１Ａから送信された自端末装置宛の所望信号と端末装置２Ｂ宛の信号及び基地局装置１Ｂから送信された端末装置２Ｃ宛の信号である干渉信号とが含まれる。また、端末装置２Ｂにおける受信信号は、基地局装置１Ａから送信された自端末装置宛の所望信号と端末装置２Ａ宛の信号及び基地局装置１Ｂから送信された端末装置２Ｃ宛の信号である干渉信号とが含まれる。
【００１７】
このように、本実施形態では、基地局装置が複数の端末装置を空間多重することによって、端末装置がユーザ間干渉を受ける場合や他の基地局装置からセル間干渉を受ける場合であればよく、図１の通信システムに限定されない。また、ユーザ間干渉とセル間干渉は同時に受ける必要はなく、ユーザ間干渉のみを受ける場合やセル間干渉のみを受ける場合のどちらも本発明に含まれる。
【００１８】
図１において、端末装置２から基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００１９】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ）を含む。下りリンクデータに対するＡＣＫ／ＮＡＣＫを、ＨＡＲＱ−ＡＣＫ、ＨＡＲＱフィードバックとも称する。
【００２０】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。
【００２１】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２２】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００２３】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００２４】
ＰＲＡＣＨは、ランダムアクセスプリアンブルを送信するために用いられる。
【００２５】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００２６】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００２７】
図１において、基地局装置１Ａから端末装置２への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
【００２８】
ＰＢＣＨは、端末装置２で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、OFDMシンボルの数）を指示する情報を送信するために用いられる。
【００２９】
ＰＨＩＣＨは、基地局装置１Ａが受信した上りリンクデータに対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。
【００３０】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３１】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００３２】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００３３】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００３４】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００３５】
端末装置２は、下りリンクアサインメントを用いてＰＤＳＣＨのリソースがスケジュールされた場合、スケジュールされたＰＤＳＣＨで下りリンクデータを受信する。また、端末装置２は、上りリンクグラントを用いてＰＵＳＣＨのリソースがスケジュールされた場合、スケジュールされたＰＵＳＣＨで上りリンクデータおよび／または上りリンク制御情報を送信する。
【００３６】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００３７】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００３８】
また、ＰＤＳＣＨは、ＲＲＣメッセージを送信するために用いられる。ここで、基地局装置１Ａから送信されるＲＲＣメッセージは、セル内における複数の端末装置２に対して共通であっても良い。また、基地局装置１Ａから送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置２に対して専用のメッセージを使用して送信される。また、ＰＤＳＣＨは、ＭＡＣ  ＣＥを送信するために用いられる。
【００３９】
ここで、ＲＲＣメッセージおよび／またはＭＡＣ  ＣＥを、上位層の信号（higher layer signaling）とも称する。
【００４０】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００４１】
同期信号は、端末装置２が、下りリンクの周波数領域および時間領域の同期を取るために用いられる。また、下りリンク参照信号は、端末装置２が、下りリンク物理チャネルの伝搬路補正を行なうために用いられる。例えば、下りリンク参照信号は、端末装置２が、下りリンクのチャネル状態情報を算出するために用いられる。
【００４２】
ここで、下りリンク参照信号には、ＣＲＳ（Cell-specific Reference Signal）、ＰＤＳＣＨに関連するＵＲＳ（UE-specific Reference Signal）、ＥＰＤＣＣＨに関連するＤＭＲＳ（Demodulation Reference Signal）、ＮＺＰ  ＣＳＩ−ＲＳ（Non-Zero Power Chanel State Information-Reference Signal）、ＺＰ  ＣＳＩ−ＲＳ（Zero Power Chanel State Information-Reference Signal）が含まれる。
【００４３】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００４４】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００４５】
ＮＺＰ  ＣＳＩ−ＲＳのリソースは、基地局装置１Ａによって設定される。例えば、端末装置２は、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２は、ＮＺＰ  ＣＳＩ−ＲＳが対応するリソースにおいて干渉の測定を行なう。
【００４６】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００４７】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００４８】
図２は、本実施形態における基地局装置１Ａの構成を示す概略ブロック図である。図２に示すように、基地局装置１Ａは、上位層処理部１０１、制御部１０２、送信部１０３、受信部１０４と送受信アンテナ１０５を含んで構成される。また、上位層処理部１０１は、無線リソース制御部１０１１、スケジューリング部１０１２、および、ＮＡＩＣＳ情報生成部１０１３を含んで構成される。また、送信部１０３は、符号化部１０３１、変調部１０３２、下りリンク参照信号生成部１０３３、多重部１０３４、無線送信部１０３５を含んで構成される。また、受信部１０４は、無線受信部１０４１、多重分離部１０４２、復調部１０４３、復号部１０４４を含んで構成される。
【００４９】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００５０】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置２の各種設定情報の管理をする。この設定情報には、干渉となる端末装置の設定情報を含めることができる。もしくは、自端末装置の設定情報から干渉となる端末装置の設定情報が取得できるようになっている。
【００５１】
スケジューリング部１０１２は、物理チャネル（PDSCHおよびPUSCH）を割り当てる周波数およびサブフレーム、物理チャネル（PDSCHおよびPUSCH）の符号化率および変調方式（あるいはMCS）および送信電力などを決定する。スケジューリング部１０１２は、決定した情報を制御部１０２に出力する。
【００５２】
スケジューリング部１０１２は、スケジューリング結果に基づき、物理チャネル（PDSCHおよびPUSCH）のスケジューリングに用いられる情報を生成する。スケジューリング部１０１２は、生成した情報を制御部１０２に出力する。本実施形態では、一例として、スケジューリング部１０１２は、端末装置２Ａおよび端末装置２Ｂを同じリソースにスケジューリングする。なお、本実施形態では簡単のため、同じリソースとしたが、端末装置２Ｂのリソース割り当てを端末装置２Ａが取得することができるといった条件で、異なるリソースにスケジューリングしても良い。なお、基地局装置１Ｂと協調してスケジューリングすることもできる。
【００５３】
ＮＡＩＣＳ情報生成部１０１３は、ＮＡＩＣＳ情報を生成し、制御部１０２に出力する。ＮＡＩＣＳ情報は、基地局装置１Ａが端末装置２に対して、ＮＡＩＣＳによる干渉信号の除去または抑圧を指示するか否かを示す情報である。
【００５４】
またＮＡＩＣＳ情報は、ＮＡＩＣＳ方式を用いる場合に限定されず、干渉信号を除去または抑圧する方式を用いる場合であれば適用可能である。
【００５５】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００５６】
セル間干渉、ユーザ間干渉は、セル内／セル間のスケジューリング（端末装置のリソース割当）により著しく変化する。干渉信号が弱い場合、干渉信号の除去／抑圧は必要ない。また、想定よりも強い干渉信号が生じた場合、干渉信号の除去／抑圧を行なっても効果が得られない可能性がある。効果が得られない場合、干渉信号の除去／抑圧を行なうことは、端末装置の消費電力が増えてしまうため、望ましくない。従って、干渉信号の除去／抑圧の指示を干渉状況に応じて、適切に干渉信号の除去／抑圧を行なう必要がある。
【００５７】
しかしながら、ＮＡＩＣＳ情報は上位層の信号であり、上位層の信号は設定が反映されるまで時間がかかるため、干渉状況が急激に変化した場合、対応できない可能性がある。
【００５８】
そこで制御部１０２は、ＮＡＩＣＳ情報がＮＡＩＣＳを指示する旨を示す場合に、端末装置２に干渉信号の除去／抑圧を指示する場合、下りリンク制御情報を端末固有サーチスペース（UE-specific search space；USS）に配置するように送信部１０３を制御する。制御部１０２は、ＮＡＩＣＳ情報がＮＡＩＣＳを指示する旨を示す場合に、端末装置２に干渉信号の除去／抑圧を指示しない場合、下りリンク制御情報を共通サーチスペース(Common search space；CSS)に配置するように送信部１０３を制御する。USSは、特定の端末装置のみがモニタ（例えば復調）する端末固有のサーチスペースである。CSSは、複数の端末装置がモニタするサーチスペースである。
【００５９】
このとき、端末装置２はUSSとCSSのどちらに下りリンク制御情報が割当てられていたかが分かれば、物理層で干渉信号の除去／抑圧をするかどうかを示すシグナリングがなくても判断できる。
【００６０】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【００６１】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【００６２】
下りリンク参照信号生成部１０３３は、基地局装置１Ａを識別するための物理セル識別子（PCI）などを基に予め定められた規則で求まる、端末装置２が既知の系列を下りリンク参照信号として生成する。
【００６３】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００６４】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【００６５】
受信部１０４は、制御部１０２から入力された制御信号に従って、送受信アンテナ１０５を介して端末装置２から受信した受信信号を分離、復調、復号し、復号した情報を上位層処理部１０１に出力する。
【００６６】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００６７】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行ない、周波数領域の信号を抽出し多重分離部１０４２に出力する。
【００６８】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【００６９】
また、多重分離部１０４２は、ＰＵＣＣＨとＰＵＳＣＨの伝搬路の補償を行なう。また、多重分離部１０４２は、上りリンク参照信号を分離する。
【００７０】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【００７１】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【００７２】
図３は、本実施形態における端末装置２の構成を示す概略ブロック図である。図３に示すように、端末装置２は、上位層処理部２０１、制御部２０２、送信部２０３、受信部２０４と送受信アンテナ２０５を含んで構成される。また、上位層処理部２０１は、無線リソース制御部２０１１、スケジューリング情報解釈部２０１２、および、ＮＡＩＣＳ情報解釈部２０１３を含んで構成される。また、送信部２０３は、符号化部２０３１、変調部２０３２、上りリンク参照信号生成部２０３３、多重部２０３４、無線送信部２０３５を含んで構成される。また、受信部２０４は、無線受信部２０４１、多重分離部２０４２、信号検出部２０４３を含んで構成される。
【００７３】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００７４】
無線リソース制御部２０１１は、自端末装置の各種設定情報の管理をする。また、無線リソース制御部２０１１は、上りリンクの各チャネルに配置される情報を生成し、送信部２０３に出力する。
【００７５】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【００７６】
ＮＡＩＣＳ情報解釈部２０１３は、受信部２０４を介して受信したＮＡＩＣＳ情報を解釈し、ＮＡＩＣＳ指示があるか否かを判定する。また、ＮＡＩＣＳ情報解釈部２０１３は、ＮＡＩＣＳ情報の判定結果を制御部２０２に出力する。なお、ＮＡＩＣＳ情報解釈部２０１３は、端末装置２の状況（受信品質等）によって、ＮＡＩＣＳ情報の判定結果を決定しても良い。
【００７７】
また、ＮＡＩＣＳ情報解釈部２０１３は、端末情報を生成し、制御部２０２に出力する。なお、端末情報は、端末装置２が有する機能に関する情報である。例えば、端末装置２がＮＡＩＣＳの機能を有するか否かを示す情報でも良いし、端末装置２がＮＡＩＣＳの機能を有するか否かに関わらず、受信品質等を考慮してＮＡＩＣＳを行なうか否かを決定した情報でも良い。
【００７８】
制御部２０２は、上位層処理部２０１から入力された情報に基づいて、受信部２０４、および送信部２０３の制御を行なう制御信号を生成する。制御部２０２は、生成した制御信号を受信部２０４、および送信部２０３に出力して受信部２０４、および送信部２０３の制御を行なう。制御部２０２は、ＮＡＩＣＳ情報の判定結果を受信部２０４に出力し、端末情報等を含む上りリンク制御情報および上りリンクデータを送信部２０３に出力する。
【００７９】
制御部２０２は、受信部２０４から、下りリンク制御情報を端末固有サーチスペースで検出したか、共通サーチスペースで検出したかを示す情報を受け取る。制御部２０２は、ＮＡＩＣＳ情報がＮＡＩＣＳ指示を示す場合、下りリンク制御情報を端末固有サーチスペースで検出した場合、受信部２０４に干渉信号の除去／抑圧をするように制御情報を生成する。ＮＡＩＣＳ情報がＮＡＩＣＳ指示を示す場合、下りリンク制御情報を共通サーチスペースで検出した場合、受信部２０４に線形検出方式による干渉抑圧するように制御情報を生成する。
【００８０】
受信部２０４は、制御部２０２から入力された制御信号に従って、送受信アンテナ２０５を介して基地局装置１Ａから受信した受信信号を、分離、復調、復号し、復号した情報を上位層処理部２０１に出力する。
【００８１】
無線受信部２０４１は、送受信アンテナ２０５を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【００８２】
また、無線受信部２０４１は、変換したディジタル信号からＣＰに相当する部分を除去し、ＣＰを除去した信号に対して高速フーリエ変換を行ない、周波数領域の信号を抽出する。
【００８３】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、多重分離部２０４２は、下りリンク制御情報を端末固有サーチスペースで検出したか、共通サーチスペースで検出したかを示す情報を制御部２０２に出力する。なお、共通サーチスペースとユーザ固有のサーチスペースが重複する領域で検出した場合には、共通サーチスペースとみなしても良いし、ユーザ固有のサーチスペースとみなしても良い。例えば、端末装置が１つのコンポーネントキャリアを構成するように設定されている場合、重複する領域で検出した場合に、共通サーチスペースとみなし、複数のコンポーネントキャリアを構成するように設定されている場合、ユーザ固有のサーチスペースとみなすといった方法があるが、当然これに限定されるものではなく、常に共通サーチスペースとみなすといった動作や、常にユーザ固有のサーチスペースとみなすといった動作も本発明に含まれる。また、制御部２０２は、ＰＤＳＣＨおよび所望信号のチャネル推定値を信号検出部２０４３に出力する。
【００８４】
また、多重分離部２０４２は、干渉信号のチャネル推定を行なう。多重分離部２０４２は、干渉信号のチャネル推定値を信号検出部２０４３に出力する。
【００８５】
信号検出部２０４３は、ＰＤＳＣＨ、チャネル推定値などを用いて、第１の受信信号の下りリンクデータ（トランスポートブロック）を検出し、上位層処理部２０１に出力する。信号検出部２０４３は、制御部２０２から入力された制御情報がＮＡＩＣＳを指示する旨を示している場合、ＮＡＩＣＳによる干渉信号の除去／抑圧を行なう。なお、干渉信号を除去／抑圧する方法は、線形検出、最尤推定、干渉キャンセラ等である。線形検出は、Ｅｎｈａｎｃｅｄ  ＬＭＭＳＥ−ＩＲＣ（Linear Minimum Mean Square Error-Interference Rejection Combining）、ＷＬＭＭＳＥ−ＩＲＣ(Widely Linear MMSE-IRC)等である。最尤推定は、ＭＬ(Maximum Likelihood)、Ｒ−ＭＬ(Reduced complexity ML)、Ｉｔｅｒａｔｉｖｅ  ＭＬ、Ｉｔｅｒａｔｉｖｅ  Ｒ−ＭＬ等である。干渉キャンセラは、Ｔｕｒｂｏ  ＳＩＣ（Successive Interference Cancellation）、ＰＩＣ（Parallel Interference Cancellation）、Ｌ−ＣＷＩＣ（Linear Code Word level SIC）、ＭＬ−ＣＷＩＣ（ML Code Word level SIC）、ＳＬＩＣ（Symbol Level IC）、等である。
【００８６】
信号検出部２０４３は、制御部２０２から入力された制御情報がＮＡＩＣＳを指示する旨を示していない場合、ＮＡＩＣＳによる干渉除去／抑圧を行なわず、線形方式の干渉抑圧を行なう。線形方式の干渉抑圧は、ＬＭＭＳＥ−ＩＲＣ、Ｅｎｈａｎｃｅｄ  ＬＭＭＳＥ−ＩＲＣなどである。
【００８７】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０５を介して基地局装置１Ａに送信する。
【００８８】
符号化部２０３１は、上位層処理部２０１から入力された上りリンク制御情報を畳み込み符号化、ブロック符号化等の符号化を行なう。また、符号化部２０３１は、ＰＵＳＣＨのスケジューリングに用いられる情報に基づきターボ符号化を行なう。
【００８９】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【００９０】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【００９１】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【００９２】
無線送信部２０３５は、多重された信号を逆高速フーリエ変換して、ＳＣ−ＦＤＭＡ方式の変調を行ない、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ２０５に出力して送信する。
【００９３】
図４は、端末装置２の受信処理の流れを示す図である。
【００９４】
Ｓ４０１において、上位層処理部２０１は、受信したＮＡＩＣＳ情報を解釈し、ＮＡＩＣＳを指示する旨があるかどうかを判定する。ＮＡＩＣＳ指示がある場合はＳ４０２に進み、ＮＡＩＣＳ指示がない場合はＳ４０４に進む。
【００９５】
Ｓ４０２において、制御部２０２は、下りリンク制御情報が端末固有サーチスペースで検出されたか、共通サーチスペースで検出されたかを判断する。端末固有サーチスペースで検出された場合は、Ｓ４０３に進み、共通サーチスペースで検出された場合は、Ｓ４０４に進む。
【００９６】
Ｓ４０３において、信号検出部２０４３はＮＡＩＣＳによる干渉信号の除去／抑圧を行なう。
【００９７】
Ｓ４０４において、信号検出部２０４３は線形方式による干渉信号の抑圧を行なう。
【００９８】
このように、本発明の端末装置は、ＮＡＩＣＳを適用するか否かを判断する上位層と、下りリンク制御情報を受信する受信部とを備え、前記上位層でNAICSを適用する旨が指示された場合に、端末固有サーチスペースで前記下りリンク制御情報を検出した場合には、ＮＡＩＣＳによる信号検出を行ない、共通サーチスペースで前記下りリンク制御情報を受信した場合には、線形方式による信号検出を行なう。
【００９９】
上述のような処理を行なうことによって、端末装置は干渉信号を除去／抑圧するために必要なパラメータに関する制御情報を抑えながら、干渉を除去／抑圧することができる。従って、端末装置は、干渉による受信性能の劣化を効率よく軽減することがすることができる。
【０１００】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであっても良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１０１】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現しても良い。受信装置の各機能ブロックは個別にチップ化しても良いし、一部、または全部を集積してチップ化しても良い。各機能ブロックを集積回路化した場合に、それらを制御する集積回路制御部が付加される。
【０１０２】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１０３】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用できることは言うまでもない。
【０１０４】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１０５】
本発明は、端末装置および集積回路に用いて好適である。【０１０６】
なお、本国際出願は、２０１４年３月２０日に出願した日本国特許出願第２０１４−０５７３４７号に基づく優先権を主張するものであり、日本国特許出願第２０１４−０５７３４７号の全内容を本国際出願に援用する。
【符号の説明】
【０１０７】
１Ａ、１Ｂ  基地局装置
２Ａ、２Ｂ、２Ｃ  端末装置
１０１  上位層処理部
１０２  制御部
１０３  送信部
１０４  受信部
１０５  送受信アンテナ
１０１１  無線リソース制御部
１０１２  スケジューリング部
１０１３  ＮＡＩＣＳ情報生成部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  送受信アンテナ
２０１１  無線リソース制御部
２０１２  スケジューリング情報解釈部
２０１３  ＮＡＩＣＳ情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2015141438.tif 000003
【図２】
2015141438.tif 000004
【図３】
2015141438.tif 000005
【図４】
2015141438.tif 000006
【国際調査報告】
2015141438.tif 000007
2015141438.tif 000008
2015141438.tif 000009
2015141438.tif 000010